(57)【要約】【課題】  合体による形状変化に基づき合体玩具を性能変化させるとともに、ユーザーのオリジナルな商品に変化させる。【解決手段】  主体部と複数の副体部からなる合体玩具であって、主体部は副体部と合体するための接合部と、副体部との合体により性能変化を受けるための認識部および表示部とを備え、一方、副体部は主体部と接合するための接合部と、主体部に性能変化を与える情報手段とを有し、合体により主体部に性能変化が表示される。【選択図】    図１
2009028438.tif 000002
【特許請求の範囲】
【請求項１】
主体部と複数の副体部からなる合体玩具であって、主体部は副体部と合体するための接合部と、副体部との合体により性能変化を受けるための認識部および表示部とを備え、一方、副体部は主体部と接合するための接合部と、主体部に性能変化を与える情報手段とを有し、合体により主体部に性能変化が表示されることを特徴とする合体玩具。
【請求項２】
前記一の副体部が合体すべき主体部の接合部が複数あり、該接合部毎に前記表示部に表示される内容が異なる請求項１記載の合体玩具。
【請求項３】
前記一の副体部が合体すべき主体部の接合部が複数あり、該接合部と該副体部との並び順および／または組合せ毎に前記表示部に表示される内容が異なる請求項１記載の合体玩具。
【発明の詳細な説明】
【技術分野】
【０００１】
本発明は、主体部と副体部とを合体させてその変化を楽しむ合体玩具に関し、特に、副体部の合体により玩具の形状変化と性能変化を可能とした合体玩具に関するものである。
【背景技術】
【０００２】
合体玩具は主体部と複数の副体部とを組み合わせ結合して所定の合体物に組み立てて遊ぶ玩具であるが、従来の合体玩具は単に合体物を組み立てて形状変化を楽しむことに止まり、遊びのバリエーションに乏しかった。
【０００３】
例えば、特開平６−２３１５３号公報（特許文献１）には、合体玩具を構成する基体部または付属部材に、該基体部と付属部材とを合体させたときに作動する音声発生装置および／または発光装置を設けた合体玩具が開示されている。当該公報には、この合体玩具によれば意外性のある面白い遊びを楽しむことができるとされているが、音声発生装置や発光装置を設け、多種の音声や多種の発光を組み合せたとしても、音の出る光線銃玩具と対比しても斬新さに乏しく、ユーザーの満足度にも限界がある。
【０００４】
また、外観形状、動力または音響などの付加および変化、さらに主プログラムの交換を目的とした合体玩具も公知であるが、さらに高度な仕組みを持つ商品が望まれている。
【特許文献１】特開平６−２３１５３号公報
【発明の開示】
【発明が解決しようとする課題】
【０００５】
本発明は上記の観点に鑑みてなされたものであって、特に、合体による形状変化に基づき、合体玩具の本体が初期状態から持つ性能に対し大小様々な性能変化を享受できるとともに、量販製品にも関わらず、ユーザーのオリジナルな商品に変化させることのできる製品を提供することを目的とするものである。
【課題を解決するための手段】
【０００６】
本発明は主体部と複数の副体部からなる合体玩具であって、主体部は副体部と合体するための接合部と、副体部との合体により性能変化を受けるための認識部および表示部とを備え、一方、副体部は主体部と接合するための接合部と、主体部に性能変化を与える情報手段とを有し、合体により主体部に性能変化が表示されることを特徴とするものである。
【０００７】
前記一の副体部が合体すべき主体部の接合部が複数あり、該接合部毎に前記表示部に表示される内容が異なるようにすることが好ましい。
前記一の副体部が合体すべき主体部の接合部が複数あり、該接合部と該副体部との並び順および／または組合せ毎に前記表示部に表示される内容が異なるようにすることが好ましい。
【発明の効果】
【０００８】
本発明の合体玩具は副体部を追加購入することにより、合体玩具を構成する主体部と副体部共に量販商品にも関わらず、玩具の形状変化に加えて性能変化させ、ユーザーのオリジナルな商品に進化させることが可能となる。本発明の合体玩具は、同時に、複数の副体部の追加購入意欲を促進させるという顕著な効果を有する。
【発明を実施するための最良の形態】
【０００９】
以下、本発明に係る合体玩具について、立体パズル（組立パズル）および合体ロボットの実施形態を例にとり、図面を参照しながら説明する。
図１は、立体パズルに本発明を適用した実施形態の全体イメージ図であり、同図の上半部には、主体部と副体部を合体させる前の状態１０が示され、同図の下半部にはこれらの合体後の状態１１が示されている。
【００１０】
合体前状態１０には、主体部１２と主体部１２に内蔵された表示部１３、１４が図示されている。また、副体部１５、１６が図示され、それぞれの接合部位が異なった形状の組み合わせであることが判る。尚、同図には、副体部１６に示されるような不合理な接合部形状が表示されているが、本発明を簡潔かつ適切に説明するための工夫である。
また、該接合部は、単数、複数のいずれでも良いし、複数の場合には、副体部（または主体部）１つに異形状または異方式な接合部が混在しても良い。ここで、異形状な接合部とは、凹凸部等の形状、大きさや数を云い、異方式な接合部とは、ＵＳＢ、ＨＤＭＩ等の電気的な接続形式等を含む。
【００１１】
副体部１５〜１６は単数、複数のいずれでも良いが、複数の場合、それぞれの副体部１５〜１６に識別可能な表示がされていることが好ましい。
この立体パズルでは、主体部１２と合体する副体部１５、１６の接続位置および／または接合順によって、その主体部１２の表示部１３、１４に表示される内容（点数、メッセージ、その他）が異なるようになっている。
即ち、図１には合計１４個の副体部１５、１６が表示されているが、合体する主体部１２の接合個所および隣接する副体部１５、１６の並び順、組み合わせにより、表示結果が異なってくる。
【００１２】
図２は、合体ロボットに本発明を適用した実施形態の全体イメージ図である。
図２において合体ロボットは、主体部１２と副体部としてのオプション商品群２１〜２７とで構成されている。
副体部２１と２２（頭部）、副体部２３と２４（腕部）、副体部２５と２６（脚部）、副体部２７（エネルギータンク）は、それぞれ主体部１２の特定個所に指定された副体部（オプション商品群）である。
【００１３】
この合体ロボットでは前記立体パズルと同様に、主体部１２と副体部２１〜２７との合体により表示部に表示変化させることができる。
即ち、副体部２１〜２７のいずれかが主体部１２と合体すれば、主体部１２に付加価値が与えられて合体ロボットは性能変化する。また、副体部２１〜２７のいずれかが主体部１２から取り外された場合には、合体前の状態に戻っても良いし、元来の性能より減退するように構成しても良い。
さらに、この合体ロボットでは、主体部１２の接合部位と、該部位に固有の副体部２１〜２７とを予め定めておき、特定された接合部位または副体部２１〜２７でないときには、両者を合体不能とするか、または表示部に異常表示が現れるようにしても良い。
【００１４】
続いて、本発明の合体玩具の構造を具体的に説明する。
図３は、合体玩具の主体部１２の内部構造を示すブロック図であり、前記した立体パズルと合体ロボットの両方に共通している。
【００１５】
主体部１２は、前記副体部（１５、１６または２１〜２７、以下同じ。）との接合部位に取り付けられたコネクター３０群と、合体の際、副体部からコネクター３０群を経てやり取りされる信号を仲介するインターフェース３１と、インターフェース３１を経て受信された情報を、主体部１２の外観部位に装備された表示部１３、１４に文字、数字、グラフィク等として表示する際、該表示を生成、判定する判定手段３２と、該信号を表示部１３、１４に表示させるための表示手段３４と、生成、判定の際の諸条件を蓄積し、生成条件を提供する条件蓄積手段３３と、これらのインターフェース３１、判定手段３２、表示手段３４をコントロールし、一連動作させる為の制御手段３５と、によって構成されている。
判定手段３２と条件蓄積手段３３とが、前記した性能変化を受けるための認識部に相当する。
【００１６】
このブロック図の動作を説明する。
先ず、副体部が主体部に合体され、コネクター３０群のいずれかに副体部のコネクターが接続されたことを検知したインターフェース３１は、その検知情報を制御手段３５に報告する。報告を受けた制御手段３５は、インターフェース３１に対し、副体部からの情報を受け取ることを指示し、インターフェース３１はその指示に従い副体部からの情報を受け取る。
【００１７】
次にインターフェース３１は、制御手段３５の指示によって、受け取った情報を判定手段３２に送信する。これを受信した判定手段３２は、制御手段３５の指示によりその情報の解析を、予め用意された条件を蓄積する条件蓄積手段３３に問い合わせ、その条件に基き解析し、表示情報を生成する。
【００１８】
この際の条件は、立体パズルの場合は、合体された副体部１５、１６からの情報により抽出されるが、副体部１５、１６の並び順および／または組合せも加味される。したがって、コネクター３０群のどのコネクター３０に、どの情報を持った副体部１５、１６が合体したかと云う点も同時に判定手段３２により判定され、該当する情報条件が条件蓄積手段３３から参照される。
また、合体ロボットの場合は、合体された（または、合体されるべき）副体部２１〜２７が、主体部１２のコネクター３０に許可されたものであるかどうかが、先ず判定される。この際、双方の接合部位の形状により判定する方法でも良い。
前記条件設定は、副体部の購入後に設定変更しても良い。
【００１９】
前記した通り、表示部１３、１４に表示される情報は、図１に図示された文字、数字だけでなく、画像、映像など、表示部１３、１４に表示されるもの全てを対象とする。
インターフェース３１は、合体する副体部の情報蓄積装置が、ＩＣタグなどの無線ＩＣチップの場合には無線型となる。
【００２０】
次に、図４に示す合体玩具の副体部の内部構造を示すブロック図により、副体部を説明する。
図４の左側には、主体部１２の接合部Ａの近辺４０が示され、図４の右側には、副体部の接合部Ｂおよび内部構造がブロック４１として図示されている。このブロック図も前記した立体パズルと合体ロボットの両方に共通している。
【００２１】
主体部１２の接合部Ａ（４３）は主体部筐体の外側部４２に設けられ、前記したインターフェース３１に接続されている。また、副体部の接合部Ｂ（４５）も副体部筐体の外側部４４に設けられている。副体部は、主体部１２に対して情報をやり取りする信号を仲介するインターフェース４６と、副体部固有の情報を保持する記憶装置４８と、インターフェース４６と記憶装置４８の信号のやり取りを制御する制御部４７と、により構成される。
ここで、記憶装置４８および制御部４７が、主体部に性能変化を与える前記情報手段に相当する。
【００２２】
図４のブロック図において、主体部１２と副体部の合体により、接合部Ａと接合部Ｂが接合され、主体部１２側から副体部固有の情報を引き出す信号が送られる。その求めに応じインターフェース４６を経て、制御部４７のコントロールにより記憶装置４８内の情報が引き出される。
この副体部固有の情報は、製品番号、識別番号などの単純な情報でも良いし、暗号化情報などの複雑な情報でも良い。
【００２３】
また、副体部はこれ以外の情報を蓄積していても良く、例えば、主プログラムやサブルーチンプログラムを蓄積し、主体部側プログラムと合体によって連動するように構成しても良い。さらに、主体部側の条件により、引き出される引数、変数、文字などであっても良い。
【００２４】
本発明の副体部は、この副体部自体が主体部１２の補助具として、無線ＬＡＮ、ＬＡＮアダプタ、アンテナ、赤外線送受信機器、ＬＥＤ発光機器、超音波送受信機器、などの電子的周辺機器機能を持つようにしても良い。
【図面の簡単な説明】
【００２５】
【図１】立体パズルの全体イメージ図である。
【図２】合体ロボットの全体イメージ図である。
【図３】合体玩具の主体部１２の内部構造を示すブロック図である。
【図４】合体玩具の副体部の内部構造を示すブロック図である。
【符号の説明】
【００２６】
１２  主体部
１３、１４  表示部
１５、１６、２１〜２７  副体部
３２  主体部の判定手段
３３  主体部の条件蓄積手段
３４  主体部の表示手段
３５  主体部の制御手段
４７  副体部の制御部
４８  副体部の記憶装置
【図１】
2009028438.tif 000003
【図２】
2009028438.tif 000004
【図３】
2009028438.tif 000005
【図４】
2009028438.tif 000006